(57)【要約】【課題】従来のように横滑り防止制御が行われる際に常にプレチャージを行うのではなく、より適切なときに予圧を行うことで、横滑り防止制御の効果の向上を図る。【解決手段】切り返し状態になると想定される場合を判定し、この場合に予圧制御が実行されるようにする。これにより、より適切なときに予圧制御を開始することが可能となり、切り返し時により早いタイミングで旋回外輪に対して制動力を発生させられるため、旋回走行時にステアリングの切り返しが行われた場合に、切り込み時の横滑り低減機能を確保しつつ、切り返し方向における横滑りの発生を未然に低減させることが可能となる。【選択図】図４
2008254724.tif 000002
【特許請求の範囲】
【請求項１】
車両の旋回走行時、オーバーステア状態を検出した際に、旋回外輪の少なくとも１つの車輪に対して前記オーバーステア状態を抑制する第１制動力を作用させる第１手段（１００〜１５０）と、
前記旋回走行時におけるドライバのステアリング操作の状態を取得する第２手段（１００）と、
前記第２手段で取得されたステアリング操作の状態に基づいて、前記ステアリング操作が前記旋回方向への操作から反旋回方向へのステアリング操作に移行する切り返し状態と判定したときに、前記第１手段にて制動力を作用させている車輪の左右反対側の車輪のうち少なくとも１つの車輪に対して、前記第１手段が作用させる第１制動力より小さい大きさの第２制動力を作用させる第３手段（２３０、２４０）と、を具備することを特徴とする車両の運動制御装置。
【請求項２】
前記第３手段は、前記第２制動力を前記ステアリング操作の前記旋回方向から前記反旋回方向に移行する単位時間当たりの変化量に略比例した大きさに設定することを特徴とする請求項１に記載の車両の運動制御装置。
【請求項３】
前記第３手段は、前記第２制動力を前記車両の旋回によって変化する車両動作量に略比例した大きさに設定することを特徴とする請求項１または２に記載の車両の運動制御装置。
【請求項４】
前記第３手段は、前記舵角の単位時間当たりの変化量が判定閾値より低下していれば前記切り返し状態と判定することを特徴とする請求項１ないし３のいずれか１つに記載の車両の運動制御装置。
【請求項５】
前記車両の進路の危険レベルに応じて前記判定閾値を変化させる第４手段（４００、４１０）を備えていることを特徴とする請求項４に記載の車両の運動制御装置。
【請求項６】
前記車両に実際に発生しているヨーレートを検出する第５手段（１１０）を有し、前記第３手段は、前記第５手段にて検出されたヨーレートの符号が反転した場合、前記第２制動力の作用を終了させることを特徴とする請求項１ないし５のいずれか１つに記載した車両の運動制御装置。
【請求項７】
前記第３手段は、前記第２制動力の作用開始からの経過時間が一定時間を超えた場合、前記第２制動力の作用を終了させること特徴とする請求項１ないし６のいずれか１つに記載の車両の運動制御装置。
【請求項８】
前記第３手段は、前記車両の方向指示器（７８）の作動状態を検出し、前記方向指示器が作動されている場合、前記第２制動力の作用を終了させることを特徴とする請求項１ないし７のいずれか１つに記載の車両の運動制御装置。
【発明の詳細な説明】
【技術分野】
【０００１】
本発明は、ブレーキ液圧制御を行うことにより、車両の運動制御を行う運動制御装置に関する。
【背景技術】
【０００２】
従来の車両の運動制御装置として、例えば特許文献１に示されるものがある。この運動制御装置は、危険回避のため、例えば急激なレーンチェンジを行った際、ドライバのステアリング操作の操舵角に基づいて演算される目標ヨーレートとヨーレートセンサに基づいて検出される実際のヨーレート（以下、実ヨーレートという）との偏差を求め、この偏差に基づいて車両の横滑り状態を取得し、横滑りが発生した場合には、ドライバのブレーキ操作とは独立してポンプによるブレーキ液の吐出動作によって制御対象輪の旋回外輪に横滑りを防止するための制動力を作用させる。
【０００３】
ここで、このレーンチェンジにおけるステアリングの切り返し後に、切り返し方向の旋回において大きな横滑りが発生する可能性がある。
【０００４】
そこで、この運動制御装置は、この切り返し後に発生し得る大きな横滑りを抑制するために車輪に作用させる制動力の応答性を改善することを目的として、旋回走行中に横滑りが発生した場合、制御対象輪となる旋回外輪の左右反対側の前輪にホイールシリンダのクリアランスを無くすプレチャージを実行している。
【特許文献１】特開平１１−２２７５８６号公報
【発明の開示】
【発明が解決しようとする課題】
【０００５】
しかしながら、上記特許文献１に示した運動制御装置で実行するプレチャージは、車輪に制動力が作用しない程度の液圧をホイールシリンダに付与するため、切り返し後、該切り返し方向にて横滑りが発生することを低減させることができないという課題があった。
【０００６】
本発明は上記点に鑑みて、レーンチェンジ時にステアリングの切り返しが行われた場合、切り返し方向における横滑りの発生を低減させることを目的とする。
【課題を解決するための手段】
【０００７】
上記目的を達成するため、請求項１に記載の発明では、車両の旋回走行時、オーバステア状態を検出した際に、旋回外輪の少なくとも１つの車輪に対してオーバーステア状態を抑制する第１制動力を作用させる第１手段（１００〜１５０）と、旋回走行時におけるドライバのステアリング操作の状態を取得する第２手段（１００）と、第２手段で取得されたステアリング操作の状態に基づいて、ステアリング操作が旋回方向への操作から反旋回方向へのステアリング操作に移行する切り返し状態と判定したときに、第１手段にて制動力を作用させている車輪の左右反対側の車輪のうち少なくとも１つの車輪に対して、第１手段が作用させる制動力より小さい大きさの第２制動力を作用させる第３手段と（２３０、２４０）と、を具備していることを特徴としている。
【０００８】
このように、第３手段により切り返し状態を判定し、切り返し状態と判定された場合に予圧制御を実行している。このため、より適切なときに予圧制御を開始することが可能となり、切り返し時により早いタイミングで旋回外輪に対して制動力を発生させられるため、旋回走行時にステアリングの切り返しが行われた場合に、切り込み時の横滑り低減機能を確保しつつ、切り返し方向における横滑りの発生を未然に低減させることが可能となる。
【０００９】
例えば、請求項２に示すように、第３手段は、第２制動力をステアリング操作の旋回方向から反旋回方向に移行する単位時間当たりの変化量に略比例した大きさに設定することができる。また、請求項３に示すように、第３手段は、第２制動力を車両の旋回によって変化する車両動作量に略比例した大きさに設定することもできる。
【００１０】
例えば、請求項４に示すように、第３手段は、舵角の単位時間当たりの変化量が判定閾値より低下していれば切り返し状態と判定することができる。
【００１１】
この場合、請求項５に示すように、車両の進路の危険レベルに応じて判定閾値を変化させる第４手段（４００、４１０）を備えるようにすれば、危険レベルが高い程予圧制御が開始され易くなるようにでき、より安全性を重視した横滑り防止制御および予圧制御を実行することが可能となる。
【００１２】
また、請求項６に示すように、第５手段（１１０）にて車両に実際に発生しているヨーレートを検出し、第３手段にて、第５手段にて検出されたヨーレートの符号が反転した場合に、第２制動力の作用を終了させることができる。このように、ヨーレートの符号が判定した場合には、車両の挙動が安定化したと考えられるため、予圧制御を終了することができる。
【００１３】
また、請求項７に示すように、第２制動力の作用開始からの経過時間が一定時間を超えた場合、第３手段にて、第２制動力の作用を終了することもできる。
【００１４】
予圧制御を長時間続け過ぎると、予圧制御の対象輪のＷ／Ｃ圧が高くなり過ぎる。このため、第２制動力の作用開始からの経過時間が一定時間を超える場合に第２制動力の作用を終了することで、予圧制御の対象輪のＷ／Ｃ圧が高くなり過ぎることを防止することができる。
【００１５】
また、請求項８に示すように、車両の方向指示器（７８）の作動状態を検出し、方向指示器が作動されている場合、第２制動力の作用を終了することもできる。
【００１６】
方向指示器が駆動（ＯＮ）されている場合には、ドライバの意思によるレーンチェンジであると考えられる。このような場合には、仮に切り返し状態になったとしても、予圧制御を実行する必要がないため、第２制動力の作用を終了することができる。
【００１７】
なお、上記各手段の括弧内の符号は、後述する実施形態に記載の具体的手段との対応関係を示すものである。
【発明を実施するための最良の形態】
【００１８】
以下、本発明の実施形態について図に基づいて説明する。なお、以下の各実施形態相互において、互いに同一もしくは均等である部分には、図中、同一符号を付してある。
【００１９】
（第１実施形態）
本発明の第１実施形態について説明する。図１は、本発明の第１実施形態にかかる車両の運動制御を実現する車両用のブレーキ制御システム１の全体構成を示したものであり、このブレーキ制御システム１により車両の運転制御として横滑り防止制御を行う。
【００２０】
図１において、ドライバがブレーキペダル１１を踏み込むと、倍力装置１２にて踏力が倍力され、Ｍ／Ｃ１３に配設されたマスタピストン１３ａ、１３ｂを押圧する。これにより、これらマスタピストン１３ａ、１３ｂによって区画されるプライマリ室１３ｃとセカンダリ室１３ｄとに同圧のＭ／Ｃ圧が発生する。Ｍ／Ｃ圧は、ブレーキ液圧制御用アクチュエータ５０を通じて各Ｗ／Ｃ１４、１５、３４、３５に伝えられる。
【００２１】
ここで、Ｍ／Ｃ１３は、プライマリ室１３ｃおよびセカンダリ室１３ｄそれぞれと連通する通路を有するマスタリザーバ１３ｅを備える。
【００２２】
ブレーキ液圧制御用アクチュエータ５０は、第１配管系統５０ａと第２配管系統５０ｂとを有している。第１配管系統５０ａは、左前輪ＦＬと右後輪ＲＲに加えられるブレーキ液圧を制御し、第２配管系統５０ｂは、右前輪ＦＲと左後輪ＲＬに加えられるブレーキ液圧を制御する。
【００２３】
第１配管系統５０ａと第２配管系統５０ｂとは、同様の構成であるため、以下では第１配管系統５０ａについて説明し、第２配管系統５０ｂについては説明を省略する。
【００２４】
第１配管系統５０ａは、上述したＭ／Ｃ圧を左前輪ＦＬに備えられたＷ／Ｃ１４及び右後輪ＲＲに備えられたＷ／Ｃ１５に伝達し、Ｗ／Ｃ圧を発生させる主管路となる管路Ａを備える。
【００２５】
また、管路Ａは、連通状態と差圧状態に制御できる第１差圧制御弁１６を備えている。この第１差圧制御弁１６は、ドライバがブレーキペダル１１の操作を行う通常ブレーキ時（運動制御が実行されていない時）には連通状態となるように弁位置が調整されており、第１差圧制御弁１６に備えられるソレノイドコイルに電流が流されると、この電流値が大きいほど大きな差圧状態となるように弁位置が調整される。
【００２６】
この第１差圧制御弁１６が差圧状態のときには、Ｗ／Ｃ１４、１５側のブレーキ液圧がＭ／Ｃ圧よりも所定以上高くなった際にのみ、Ｗ／Ｃ１４、１５側からＭ／Ｃ１３側へのみブレーキ液の流動が許容される。このため、常時Ｗ／Ｃ１４、１５側がＭ／Ｃ１３側よりも所定圧力以上高くならないように維持される。
【００２７】
そして、管路Ａは、この第１差圧制御弁１６よりも下流になるＷ／Ｃ１４、１５側において、２つの管路Ａ１、Ａ２に分岐する。管路Ａ１にはＷ／Ｃ１４へのブレーキ液圧の増圧を制御する第１増圧制御弁１７が備えられ、管路Ａ２にはＷ／Ｃ１５へのブレーキ液圧の増圧を制御する第２増圧制御弁１８が備えられている。
【００２８】
第１、第２増圧制御弁１７、１８は、連通・遮断状態を制御できる２位置電磁弁により構成されている。
【００２９】
第１、第２増圧制御弁１７、１８は、第１、第２増圧制御弁１７、１８に備えられるソレノイドコイルへの制御電流がゼロとされる時（非通電時）には連通状態となり、ソレノイドコイルに制御電流が流される時（通電時）に遮断状態に制御されるノーマルオープン型となっている。
【００３０】
管路Ａにおける第１、第２増圧制御弁１７、１８及び各Ｗ／Ｃ１４、１５の間と調圧リザーバ２０とを結ぶ減圧管路としての管路Ｂには、連通・遮断状態を制御できる２位置電磁弁により構成される第１減圧制御弁２１と第２減圧制御弁２２とがそれぞれ配設されている。そして、これら第１、第２減圧制御弁２１、２２はノーマルクローズ型となっている。
【００３１】
調圧リザーバ２０と主管路である管路Ａとの間には還流管路となる管路Ｃが配設されている。この管路Ｃには調圧リザーバ２０からＭ／Ｃ１３側あるいはＷ／Ｃ１４、１５側に向けてブレーキ液を吸入吐出するモータ６０によって駆動される自吸式のポンプ１９が設けられている。モータ６０はモータリレー６１に備えられる半導体スイッチ６１ａのオンオフによってモータ６０への電圧供給が制御される。
【００３２】
そして、調圧リザーバ２０とＭ／Ｃ１３の間には補助管路となる管路Ｄが設けられている。この管路Ｄを通じ、ポンプ１９にてＭ／Ｃ１３からブレーキ液を吸入し、管路Ａに吐出することで、横滑り防止制御やトラクション（ＴＣＳ）制御などの運動制御時において、Ｗ／Ｃ１４、１５側にブレーキ液を供給し、対象となる車輪のＷ／Ｃ圧を加圧する。
【００３３】
また、ブレーキＥＣＵ７０は、ブレーキ制御システム１の制御系を司る本発明の車両の運動制御装置に相当するもので、ＣＰＵ、ＲＯＭ、ＲＡＭ、Ｉ／Ｏなどを備えた周知のマイクロコンピュータによって構成され、ＲＯＭなどに記憶されたプログラムに従って各種演算などの処理を実行する。図２は、ブレーキＥＣＵ７０の信号の入出力の関係を示すブロック図である。
【００３４】
図２に示すように、ブレーキＥＣＵ７０は、各車輪ＦＬ〜ＲＲに備えられた車輪速度センサ７１〜７４、舵角センサ７５、ヨーレートセンサ７６、横加速度（横Ｇ）センサ７７および方向指示器（ウィンカー）７８からの検出信号を受け取り、各種物理量やウィンカー７８の作動状態を求める。例えば、ブレーキＥＣＵ７０は、各検出信号に基づいて各車輪ＦＬ〜ＲＲの車輪速度や車速（推定車体速度）、ドライバによるステアリングの操作量に応じた舵角、車両に実際に発生しているヨーレートや横Ｇを求めている。また、これらに基づいて横滑り防止制御を実行するか否かを判定すると共に、横滑り防止制御を実行する場合の制御対象輪を判別したり、制御量、すなわち制御対象輪のＷ／Ｃに発生させるＷ／Ｃ圧を求める。そして、その結果に基づいて、ブレーキＥＣＵ７０が各制御弁１６〜１８、２１、２２、３６〜３８、４１、４２への電流供給制御およびポンプ１９、３９を駆動するためのモータ６０の電流量制御を実行する。このようにして、各Ｗ／Ｃ１４、１５、３４、３５に発生させられるＷ／Ｃ圧を制御するという横滑り防止制御を実行する。
【００３５】
例えば、左前輪ＦＬを制御対象輪としてＷ／Ｃ圧を発生させる場合には、第１差圧制御弁１６を差圧状態にしてモータリレー６１をオンさせてモータ６０によってポンプ１９を駆動する。これにより、第１差圧制御弁１６の下流側（Ｗ／Ｃ側）のブレーキ液圧は第１差圧制御弁１６で発生させられる差圧により高くなる。このとき、非制御対象輪となる右後輪ＲＲに対応する第２増圧制御弁１８を遮断状態とすることで、Ｗ／Ｃ１５が加圧されないようにしつつ、制御対象輪となる左前輪ＦＬに対応する第１増圧制御弁１７には電流を流さない若しくは流す電流量を調整（例えばデューティ制御）することで、Ｗ／Ｃ１４に所望のＷ／Ｃ圧を発生させる。また、予圧制御を行うときには、非制御対象輪のうち制御対象輪に対して左右反対側の前輪（右前輪ＦＲ）のＷ／Ｃ３４を予圧すべく、第２差圧制御弁３６を差圧状態にさせると共に第３増圧制御弁３７に流す電流量を調整（例えばデューティ制御）する。これにより、Ｗ／Ｃ３４を予圧することが可能となる。
【００３６】
なお、予圧制御における予圧方法は、第２差圧制御弁３６の差圧量を調整し、第３増圧制御弁３７を連通状態のままにする方法であっても良い。また、このようにしてＷ／Ｃ３４を加圧する際には、第４増圧制御弁３８を遮断状態にしておけばＷ／Ｃ３５が加圧されないようにできる。
【００３７】
以上のようにして、本実施形態のブレーキ制御システム１が構成されている。次に、このブレーキ制御システム１の具体的な作動について説明する。なお、本ブレーキ制御システム１では、通常ブレーキだけでなく、運動制御としてアンチスキッド（ＡＢＳ）制御等も実行できるが、これらの基本的な作動に関しては従来と同様であるため、ここでは本発明の特徴に関わる横滑り防止制御における作動について説明する。
【００３８】
図３は、横滑り防止制御処理のフローチャートであり、ブレーキＥＣＵ７０により実行される。横滑り防止制御処理は、車両に備えられた図示しないイグニッションスイッチがオンされたとき、もしくは車両走行中において、所定の演算周期ごとに実行される。
【００３９】
まず、ステップ１００では、各種センサ信号読み込みの処理を行う。具体的には、車輪速度センサ７１〜７４、舵角センサ７５およびヨーレートセンサ７６の検出信号等、横滑り防止制御に必要な各種検出信号の読み込みを行い、それらから各物理値が求められる。これにより、各車輪ＦＬ〜ＲＲそれぞれの車輪速度や車速（推定車体速度）、さらには舵角が求められる。
【００４０】
続くステップ１１０では、実際に車両に対して発生しているヨーレート、つまり横滑り防止制御の開始条件の判定のために用いる実ヨーレートを求める。実ヨーレートは、ヨーレートセンサ７６の検出信号から算出することができる。また、駆動輪となる左右後輪ＲＬ、ＲＲの車輪速度の差から実ヨーレートを演算することもできる。例えば、左右後輪ＲＬ、ＲＲそれぞれの車輪速度をＶｗＲＬ、ＶｗＲＲ、左右後輪ＲＬ、ＲＲの間の距離（トレッド）をｒとすると、実ヨーレートは、一方の車輪速度ＶｗＲＬと他方の車輪速度ＶｗＲＲの差をトレッドｒで割った値として演算される。
【００４１】
なお、車輪速度ＶｗＲＬから車輪速度ＶｗＲＲを引いたときの差は、左旋回の場合には、左後輪ＲＬの車輪速度ＶｗＲＬの方が右後輪ＲＲの車輪速度ＶｗＲＲよりも小さくなり、右旋回の場合にはその逆になる。このため、左旋回の場合は上記差は正、右旋回の場合は上記差は負となる。
【００４２】
続く、ステップ１２０では、目標ヨーレートを算出する。具体的には、舵角センサ７５の検出信号に基づいて求めた舵角や車速もしくは横Ｇセンサ７７の検出信号に基づいて求めた横Ｇ等から周知の手法によって目標ヨーレートを推定する。そして、ステップ１１０で求めた実ヨーレートとステップ１２０で求めた目標ヨーレートの差の絶対値を求める。この絶対値が横滑り傾向を示す。
【００４３】
この後、ステップ１３０に進み、この横滑り傾向が開始しきい値を超えているか否かを判定する。つまり、横滑り傾向が開始しきい値を超えているような場合には、車両に横滑り傾向が発生しているものと想定される。
【００４４】
このため、横滑り傾向が発生しておらず、ステップ１３０で否定判定された場合には、そのまま処理を終了する。そして、横滑り傾向が発生し、ステップ１３０で肯定判定された場合には、ステップ１４０以降の処理を実行する。このようにして、横滑り傾向を解消する横滑り防止制御が開始される。また、横滑り防止制御を開始するのに伴い、横滑り防止制御中であることを示すフラグをセットする。
【００４５】
ステップ１４０では、ステップ１３０で求めた横滑り傾向を用いて制御量の計算を行う。ここでいう制御量の計算とは、車両に発生している横滑り傾向を抑制するために制御対象輪に対して発生させるべき制動力（第１制動力）に対応する制御量、つまりそのような制動力を発生させるのに必要な目標Ｗ／Ｃ圧を得るために、制御弁１６〜１８、２１、２２、３６〜３８、４１、４２やモータ６０に流す電流量（例えば単位時間当たりの通電時間割合を示すデューティ比）等を求めるものである。この制御量（電流量）は、横滑り傾向の大きさに応じて、例えばブレーキＥＣＵ７０内に予め記憶してあるマップや演算式に基づいて求められる。
【００４６】
また、制御対象輪の設定は、旋回状態（右旋回と左旋回のいずれか）や車両がオーバステア（ＯＳ）状態かアンダーステア（ＵＳ）状態かに基づいて行われる。車両がＯＳ状態かＵＳ状態かは、目標ヨーレートと実ヨーレートとのいずれが大きいかによって判定できる。そして、例えば、ＯＳ状態の場合には旋回外輪や旋回内輪の後輪を制御対象輪、ＵＳ状態の場合には旋回内輪や旋回外輪の前輪を制御対象輪として、制動力を加えるようにする。なお、旋回外輪もしくは旋回内輪のうち前輪と後輪のいずれかを選択する場合、制御対象輪は、実ヨーレートの大きさや舵角の大きさ、もしくは舵角速度の大きさによって決定する。
【００４７】
そして、ステップ１５０に進み、アクチュエータ駆動処理を実行する。ここでいうアクチュエータ駆動処理は、横滑り防止制御により制御対象輪に対して制動力を発生させるものであり、各制御弁１６〜１８、２１、２２、３６〜３８、４１、４２への電流供給制御およびポンプ１９、３９を駆動するためのモータ６０への電流量制御を実行する。これにより、制御対象輪に対応するＷ／Ｃ１４、１５、３４、３５を自動加圧し、それにより制動力が発生させられ、横滑りが抑制される。
【００４８】
続いて、上述した横滑り防止制御処理にて横滑り防止制御の開始条件を満たしたときに実行される予圧制御処理および予圧制御の終了判定処理について説明する。図４は、予圧制御処理のフローチャートであり、図５は、終了判定処理のフローチャートである。これら予圧制御処理および終了判定処理は、各車輪ＦＬ〜ＲＲそれぞれに対して個別に実行される。
【００４９】
まず、図４のステップ２００では、横滑り防止制御がＯＳ状態に対する制御（以下、ＯＳ制御という）であるか、ＯＳ制御ではないか、つまりＵＳ状態に対する制御（以下、ＵＳ制御という）であるかを判定する。ＯＳ制御であるかＵＳ制御であるかは、上述した横滑り防止制御処理における制御対象輪の設定の際にＯＳ状態かＵＳ状態かを記憶してあるため、記憶内容に基づいて判定できる。
【００５０】
ここでＯＳ制御中であればステップ２１０に進み、本予圧制御処理を行っている車輪が横滑り防止制御の制御対象輪であるか否かを判定する。上述したように、予圧制御は、制御対象輪に対して左右反対側の前輪である旋回内輪の前輪に対して実行される。このため、制御対象輪であれば予圧制御を実行する必要がないため、このまま処理を終了し、制御対象輪でない場合にステップ２２０に進む。同様に、ステップ２２０において、本予圧制御処理を行っている車輪が旋回内輪の前輪であるか否かを判定し、否定判定されればこのまま処理を終了し、肯定判定された場合にのみステップ２３０に進む。
【００５１】
ステップ２３０では、切り返し状態であるか否かを判定する。この処理が予圧制御の開始判定となる。例えば、ドライバが車両前方の障害物などの存在を認識すると、急遽ステアリングを切り込むことで車両方向を左右いずれかに急変更する。このとき、車両の自転運動により進行方向に対して滑るように方向が変わるため、ドライバはそれを抑制しようと逆方向にステアリングを切り返すという動作を反射的に行う。このように、急遽ステアリングを切り込んでいる状態が切り込み状態であり、急遽切り込まれたステアリングを逆方向に切り返している状況が切り返し状態である。このようなステアリングの切り込みと切り返しはレーンチェンジなどの場面で行われる。
【００５２】
切り込み状態は、急遽ステアリングが切り込まれた状態であるため、このときには車両の自転運動が大きく、横滑り防止制御を実行してＯＳ状態を抑制することが必要になる。一方、切り返し状態も、切り込み状態において自転し過ぎている車両を反対方向に切り返すことになるため、車両の旋回方向を切り込み状態と反対方向に急激に変化させることになり、車両に対して切り込み状態と反対方向に大きな自転運動を行わせることになる。したがって、切り返し状態においても、横滑り防止制御を実行してＯＳ状態を抑制することが必要になる。この際、切り込み状態と切り返し状態とで車両の自転運動の方向が逆になるため、横滑り防止制御の制御対象輪が例えば左右逆の車輪になるが、切り込み状態から切り返し状態への変化は急であるため、横滑り防止制御の制御対象輪の切り替わりも急に行われる。このため、このように切り込み状態から切り返し状態に切り替わる際に予圧制御を実行する。
【００５３】
なお、本実施形態において上述した予圧制御は、ステアリングが旋回方向に切り込まれた状態から反旋回方向に切り返す切り返し状態への変化量が大きい程車輪に作用させる制動力（第２制動力）を大きくする。すなわち、この変化量の大きさに略比例した制動力とする。
【００５４】
なぜなら、車両が切り返し方向に旋回状態になった場合、当該旋回方向において車両に発生し得る横滑りは、この変化量が大きいほど大きくなるからである。
【００５５】
もしくは、車両の旋回に応じて変化する車両動作量（例えば、ヨーレート）が大きいほど車輪に作用させる制動力を大きく、つまり車両動作量の大きさに略比例した制動力としても良い。このように車両動作量を確認することによっても切り返し操作を判断でき、車両に発生し得る横滑り量に合せた予圧が可能になる。
【００５６】
勿論、これら変化量や車両動作量の双方に関して大きくなるほど車輪に作用させる制動力を大きくしても良い。このように、変化量だけでなく、車両動作量も確認することで、より正確に切り返し操作を判断でき、より的確に車両に発生し得る横滑り量に合せた予圧が可能になる。
【００５７】
従って、変化量および／または車両動作量が大きい程車両に作用させる制動力を大きくすることによって、効果的にこの切り返し方向における横滑りの発生を低減させることが可能になる。
【００５８】
このとき、このステアリングが旋回方向への切り込み状態から反旋回方向への切り返し状態に車輪に作用させる制動力は、横滑り時に車輪に作用させる制動力より小さくする。これによって、横滑り防止のために作用させている制動力の効果の低減を防止している。
【００５９】
例えば、ステップ２３０では、ステップ１００において舵角センサ７５の検出信号から得た舵角に基づいて切り返し状態を判定する。具体的には、ステアリングの切り込み方向、つまり車両の旋回状態が左右いずれであっても、切り込み状態の舵角を正の値で表すと、単位時間当たりの舵角の差（変化量）〔ｄｅｇ／ｓ〕が負の値で表される。この単位時間当たりの舵角の差〔ｄｅｇ／ｓ〕を正規化舵角速度と呼ぶとすると、正規化舵角速度が判定閾値、例えば−４００ｄｅｇ／ｓより小さくなった場合に、切り返し状態に移行すると想定し、切り返し状態と判定する。つまり、舵角切り込み状態から切り返し状態に切り替わるときには、舵角が急激に小さくなる。これに対し、単なるレーンチェンジの場合には、切り込み状態から切り返し状態に移行しないため、正規化舵角速度が判定閾値よりも低下せず、切り込み状態から切り返し状態に移行するような場合にのみ正規化舵角速度が判定閾値より小さくなる。このように切り返し状態を判定することにより、単なるレーンチェンジに予圧が行われることを排除する。
【００６０】
このため、ステップ２３０で肯定判定されれば、ステップ２４０に進み、予圧制御を行うべく、横滑り防止制御の制御対象輪と左右反対側の前輪を予圧制御の対象輪に設定し、この対象輪に対して予圧を行う。例えば、予圧制御の対象輪の目標Ｗ／Ｃ圧を予圧目標値に設定する。このとき、予圧目標値は、上述したように変化量および／または車両動作量の大きさに応じて決定される。ここでは、その一例として、車両動作量の大きさに応じて予圧目標値を決定する場合について説明する。
【００６１】
図６は、車両動作量を表す物理量の１つである実ヨーレートに対する予圧目標値との関係を示したマップである。ただし、実ヨーレートは、左右の旋回方向に応じて正負符号が変わるため、切り込み方向に旋回したときの実ヨーレートを正の値で表し、切り返し方向に旋回したときの実ヨーレートを負の値で表したものを実ヨーレートの正規化ヨーレートとしてある。
【００６２】
この図に示されるように、正規化ヨーレートの絶対値が大きいほど、予圧目標値を大きくする。ただし、正規化ヨーレートの絶対値がある程度の大きさ以上になると、予圧目標値を最大値に設定する。また、正規化ヨーレートの絶対値が小さい場合には、予圧制御を行う必要がないため、正規化ヨーレートの絶対値がある程度大きい値の際に初めて予圧目標値が設定されるようにしている。
【００６３】
なお、実ヨーレートは、ステップ１１０で求められているため、図６に示したマップから正規化ヨーレートと対応する予圧目標値を選択するか、もしくは、このマップと対応する関係式に対して正規化ヨーレートを代入することにより、予圧目標値を決定することができる。
【００６４】
このようにして予圧目標値が決定され、この予圧目標値が目標Ｗ／Ｃ圧として設定される。これにより、第１、第２配管系統５０ａ、５０ｂのうち予圧制御の対象輪が含まれる配管系統の差圧制御弁１６、３６が差圧状態にされると共に、その対象輪と対応する増圧制御弁１７、１８、３７、３８が連通状態にされ、予圧制御の対象輪のＷ／Ｃが予圧目標値となるように増圧される。また、予圧制御の実行開始に伴って、例えばブレーキＥＣＵ７０のＣＰＵに内蔵されたカウンタによるカウントを開始するなどにより、予圧制御開始からの経過時間のカウントを行う。
【００６５】
一方、ステップ２３０で否定判定されれば、ステップ２５０に進み、予圧制御の対象輪の予圧目標値をクリアして処理を終了する。
【００６６】
そして、ステップ２００で否定判定された場合、もしくは、ステップ２４０で予圧制御が実行された場合には、ステップ２６０において終了条件を満たすか否かを判定する。ここでいう終了条件とは、次に説明する終了判定処理の各種条件のことであり、終了判定処理において終了条件を満たしたときにＯＮされる終了フラグを確認することで、終了条件を満たすか否かを判定することができる。図５を参照して、終了判定処理の詳細について説明する。
【００６７】
終了判定処理は、予圧制御の終了を判定するために実行される。この終了判定処理は、横滑り防止制御が実行されると所定の演算周期毎に実行される。
【００６８】
まず、ステップ３００では、ヨーレート符号が反転したか否かを判定する。実ヨーレートは、図３のステップ１００においてヨーレートセンサ７６の検出信号から算出、もしくは駆動輪となる左右後輪ＲＬ、ＲＲの車輪速度の差に基づいて演算されているため、この実ヨーレートの符号が変化したことを判定する。ＯＳ制御が実行された場合に、ＯＳ制御によって車両挙動が安定すると、その後はＯＳ制御を実行する必要がなくなる。このため、車両挙動が安定したことを実ヨーレートの符号が反転したことから判定する。
【００６９】
次に、ステップ３１０では、予圧制御開始からの経過時間（カウント値）を入力する。そして、ステップ３２０に進み、経過時間が判定閾値（一定時間）を超えているか否かを判定する。上述したように、予圧制御は、第１、第２配管系統５０ａ、５０ｂのうち予圧制御の対象輪が含まれる配管系統の差圧制御弁１６、３６を差圧状態にすると共に、その対象輪と対応する増圧制御弁１７、１８、３７、３８を連通状態とし、予圧制御の対象輪のＷ／Ｃが予圧目標値となるように増圧する。このとき、ポンプ１９、３９によるブレーキ液の吐出により予圧制御の対象輪のＷ／Ｃが徐々に大きくなっていくが、長時間続け過ぎると予圧制御の対象輪のＷ／Ｃ圧が高くなり過ぎる。
【００７０】
このため、ポンプ１９、３９のブレーキ液の吐出による予圧制御の対象輪のＷ／Ｃ圧の増加勾配を予め調べておき、その増加勾配に応じた判定閾値を設定しておくことで、予圧制御の対象輪のＷ／Ｃ圧が予圧目標値となるようにし、高くなり過ぎることを防止する。
【００７１】
また、ステップ３３０では、ウィンカー７８がＯＮされているか否かを判定する。ウィンカー７８がＯＮされている場合には、ドライバの意思によるレーンチェンジであると考えられる。このような場合には、仮に切り返し状態になったとしても、予圧制御を実行する必要がない。
【００７２】
このように、ステップ３００、３２０、３３０において、ヨーレート符号反転、経過時間が判定閾値を超えるか、もしくは、ウィンカー７８がＯＮされているかを予圧制御の終了条件とし、この終了条件を満たすか否かを判定している。そして、いずれか１つでも終了条件を満たしていれば、ステップ３４０に進んで終了フラグをＯＮさせ、いずれも満たしていなければ、ステップ３５０に進んで終了フラグをＯＦＦにする。
【００７３】
このようにして、終了判定処理が実行され、予圧制御の終了条件を満たすか否かの判定を行う。そして、終了フラグがＯＮになると、図４のステップ２６０で肯定判定され、ステップ２５０に進んで予圧制御の対象輪の予圧目標値をクリアして処理を終了する。
【００７４】
以上説明した横滑り防止制御および予圧制御を実行した場合の様子について、図７に示す切り込み状態から切り返し状態に移行する際の操舵角、ＯＳ制御を示すフラグ、切り返し状態を示すフラグ、制動力、ヨーレートのタイミングチャートを参照して説明する。なお、ここでは、車両を左方向に切り込んだ後、右方向に切り返す場合を示してある。この場合、切り込み状態の際のＯＳ制御の制御対象輪が右前輪ＦＲ、切り返し状態の際のＯＳ制御の制御対象輪が左前輪ＦＬとなり、予圧制御の対象輪が左前輪ＦＬとなる。
【００７５】
この図に示すように、期間Ｔ１に切り込み状態になったあと、期間Ｔ２に切り返し状態になった場合、期間Ｔ１中に切り込み状態によって大きなヨーレートが発生し、ＯＳ状態になるため、ＯＳ制御を示すフラグがＯＮになる。これにより、ＯＳ制御を実行すべく、右前輪ＦＲを制御対象輪として制動力が上昇させられる。
【００７６】
そして、切り込み状態から切り返し状態に移行する際に舵角が最大値から急激に減少し、負の値になる。この舵角減少中に正規化舵角速度が判定閾値よりも小さくなり、切り返し状態であることが判定され、切り返し状態を示すフラグがＯＮになる。これにより、左前輪ＦＬを予圧制御の対象輪としてＷ／Ｃ１４を予圧し、制動力を発生させる。
【００７７】
この後、切り返し状態になり、切り込み状態とは逆方向に大きなヨーレートが発生し、ＯＳ状態になる。このため、ＯＳ制御を示すフラグがＯＮになる。これにより、ＯＳ制御を実行すべく、左前輪ＦＬを制御対象輪として制動力が上昇させられる。このとき、左前輪ＦＬに対しては、Ｗ／Ｃ１４を予圧してあるため、従来よりも早くから大きな制動力を発生させることが可能となり、よりＯＳ制御の効果を高めることが可能となる。
【００７８】
このように、本実施形態では、切り返し状態になると想定される場合を判定し、この場合に予圧制御が実行されるようにしている。このため、より適切なときに予圧制御を開始することが可能となり、切り返し時により早いタイミングで旋回外輪に対して制動力を発生させられるため、旋回走行時にステアリングの切り返しが行われた場合に、切り込み時の横滑り低減機能を確保しつつ、切り返し方向における横滑りの発生を未然に低減させることが可能となる。
【００７９】
（第２実施形態）
本発明の第２実施形態について説明する。本実施形態では、第１実施形態に対して切り返し状態の判定閾値を変化させるものであり、その他に関しては第１実施形態と同様であるため、異なる部分についてのみ説明する。
【００８０】
図８は、本実施形態のブレーキ制御システム１に備えられるブレーキＥＣＵ７０の信号の入出力の関係を示すブロック図である。この図に示すように、第１実施形態に対して、ブレーキＥＣＵ７０に車載カメラの画像処理用のＥＣＵ７９から危険レベルを示す信号が入力されるようにしたことが異なっている。画像処理用のＥＣＵ７９では、例えば車両の前方を撮影する車載カメラからの画像データを処理することにより、車両の進路への人の飛び出しや障害物の存在などを認識している。そして、画像処理用のＥＣＵ７９にて、画像データを処理したときに車両の進路に何が存在するかに応じて危険レベルを設定しているため、この危険レベルをブレーキＥＣＵ７０に入力する。なお、画像処理用のＥＣＵ７９による画像データの処理方法や車両の進路に何が存在するかの認識方法、および、危険レベルの設定方法は従来より周知なことであるため、ここでは詳細についての説明を省略する。
【００８１】
図９は、本実施形態のブレーキＥＣＵ７０が実行する切り返し状態の判定閾値設定処理のフローチャートである。この処理は、横滑り防止制御が開始されたときに所定の演算周期毎に実行される。
【００８２】
まず、ステップ４００では、危険レベルが入力される。具体的には、ブレーキＥＣＵ７０が上述したように画像処理用のＥＣＵ７９から危険レベルを示すデータを受け取る事により行われる。
【００８３】
そして、ステップ４１０において、危険レベルに対応する判定閾値を設定する。これにより、危険レベルが高い程、判定閾値が低い値として設定される。例えば、ステップ４１０中に示したように、ブレーキＥＣＵ７０に予め危険レベルと判定閾値との関係を示すマップを記憶させておき、危険レベルと対応する判定閾値をマップから読み取ることにより判定閾値を設定することができる。
【００８４】
このようにして切り返し状態の判定閾値が設定されると、その設定された判定閾値を図４のステップ２３０における切り返し状態の判定閾値として用いる。これにより、危険レベルが高い場合には、危険レベルが低い場合と比べて、正規化舵角速度があまり低下していなくても、正規化舵角速度が判定閾値よりも下回り、切り返し状態と判定されるようになる。例えば、車載カメラにて車両の前方に人が飛び出してきて危険レベルが高くなったような場合には、それを避けるためにドライバがステアリングを切り込む可能性が高いため、危険レベルに合せて切り返し状態の判定閾値を変更させる。このようにすることで、より安全性を重視した横滑り防止制御および予圧制御を実行することが可能となる。
【００８５】
（他の実施形態）
上記各実施形態では、横滑り防止制御処理の一形態を示したが、本発明の特徴部分である予圧制御の開始判定となる切り替えし状態（図４のステップ２３０）の判定処理以外に関しては、従来より知られている様々な手法に代えても構わない。例えば、横滑り防止制御の開始判定に用いる目標ヨーレートや実ヨーレートの求め方を他の手法としても構わない。
【００８６】
また、上記各実施形態では、予圧制御の終了条件の一例を挙げたが、この他の終了条件を設定しても良いし、上記一例として挙げたすべてを終了条件とせず、そのうちの一部のみを終了条件として採用しても良い。
【００８７】
また、危険レベルを入力する一例として車載カメラによる車両の進路への人の飛び出しや障害物の存在を例に挙げたが、車載カメラに限るものではなく、例えばレーザレーダ装置によって危険レベルが認識されている場合には、その危険レベルがブレーキＥＣＵ７０に入力されるようにしても構わない。
【００８８】
なお、各図中に示したステップは、各種処理を実行する手段に対応するものである。
【図面の簡単な説明】
【００８９】
【図１】本発明の第１実施形態における車両の運動制御を実現するブレーキ制御システムの全体構成を示す図である。
【図２】ブレーキＥＣＵの信号の入出力の関係を示すブロック図である。
【図３】横滑り防止制御処理のフローチャートである。
【図４】予圧制御処理のフローチャートである。
【図５】終了判定処理のフローチャートである。
【図６】車両動作量を表す物理量の１つである実ヨーレートに対する予圧目標値との関係を示したマップである。
【図７】切り込み状態から切り返し状態に移行する際の操舵角、ＯＳ制御を示すフラグ、切り返し状態を示すフラグ、Ｗ／Ｃ圧、ヨーレートのタイミングチャートである。
【図８】本発明の第２実施形態にかかるブレーキ制御システムに備えられるブレーキＥＣＵの信号の入出力の関係を示すブロック図である。
【図９】切り返し状態の判定閾値設定処理のフローチャートである。
【符号の説明】
【００９０】
１…ブレーキ制御システム、１３…Ｍ／Ｃ、１４、１５、３４、３５…Ｗ／Ｃ、１６、３６…差圧制御弁、１７、１８、３７、３８…第１〜第４増圧制御弁、１９、３９…ポンプ、２０、４０…調圧リザーバ、２１、２２、４１、４２…減圧制御弁、５０…ブレーキ液圧制御用アクチュエータ、５０ａ、５０ｂ…第１、第２配管系統、６０…モータ、７０…ブレーキＥＣＵ、７１〜７４…車輪速度センサ、７５…舵角センサ、７６…ヨーレートセンサ、７７…横Ｇセンサ、７８…方向指示器、７９…画像処理用のＥＣＵ
【図１】
2008254724.tif 000003
【図２】
2008254724.tif 000004
【図３】
2008254724.tif 000005
【図４】
2008254724.tif 000006
【図５】
2008254724.tif 000007
【図６】
2008254724.tif 000008
【図７】
2008254724.tif 000009
【図８】
2008254724.tif 000010
【図９】
2008254724.tif 000011